(57)【要約】【課題】       本発明の目的は、小型の圧電振動子を提供することである。【解決手段】       上記の目的を達成するために本発明は、圧電素板に電極を形成して成る圧電振動子を、凹状の開口部を有する容器内に載置し、蓋によって気密封止する圧電振動子において、圧電振動子の電極の両端が先の凹状の開口部を有する容器の縁部に架かり、蓋を載置されて封止材により気密封止されることを特徴とし、また、圧電素板の両主面にそれぞれ形成された電極が、凹状の開口部を有する容器の縁部でリードパターンに接続され、リードパターンが容器外面の端子部まで延びていることを特徴とし、また、凹状の開口部を有する容器の縁部に架かり、蓋を載置されて封止材により気密封止される圧電振動子の形状が短冊形、正方形、円形、または楕円形であることを特徴として目的を達成する。【選択図】  図１
2005159894.tif 000002
【特許請求の範囲】
【請求項１】
圧電素板に電極を形成して成る圧電振動子を、凹状の開口部を有する容器内に載置し、蓋によって気密封止する圧電振動子において、
該圧電振動子の該電極の両端が該凹状の開口部を有する容器の縁部に架かり、蓋を載置されて封止材により気密封止されることを特徴とする圧電振動子。
【請求項２】
圧電素板の両主面にそれぞれ形成された電極が、該凹状の開口部を有する容器の縁部でリードパターンに接続され、該リードパターンが容器外面の端子部まで延びていることを特徴とする請求項１に記載の圧電振動子。
【請求項３】
凹状の開口部を有する容器の縁部に架かり、蓋を載置されて封止材により気密封止される圧電振動子の形状が短冊形、正方形、円形、または楕円形であることを特徴とする請求項１、及び請求項２に記載の圧電振動子。
【発明の詳細な説明】
【技術分野】
【０００１】
本発明は小型の圧電振動子に関する。
【背景技術】
【０００２】
近年、圧電振動子は圧電素板を圧電振動子内部において、例えば図７のように片持ち支持の状態で、支持構造を構成して気密封止したものが一般的となっている。これは、圧電素板を圧電振動子の絶縁基板上に形成される導電性パッドの上に両持ち支持の状態で支持すると、圧電素板の両端が固定されて、その周波数特性などの特性に悪影響を与えるおそれが考えられたからである。
【０００３】
一方、最近の傾向では通信分野の伝送系装置等を中核として、その搭載部品について非常に急激な市場からの小型化や低背化、更に加えて軽量化や低価格化などの要求があるのが現状であるが、そのために先の圧電素板を圧電振動子の容器内部で片持ち支持の状態で支持構造を構成し、蓋をして気密封止とした圧電振動子を製造することが一般となっている。
【０００４】
【特許文献１】特開２０００−２４９５６０号公報
【０００５】
なお、出願人は前記した先行技術文献情報で特定される先行技術文献以外には、本発明に関連する先行技術文献を、本件出願時までに発見するには至らなかった。
【発明の開示】
【発明が解決しようとする課題】
【０００６】
しかしながら、前述のように圧電振動子の外形が小型化し、それにつれてその内容積が小さくなるにしたがって、導電性接着剤で保持される側の圧電素板端に対向する圧電素板の開放端と圧電振動子の蓋の容器内側を含めた内壁との間隔もより小さくなり、その結果、圧電振動子を搭載する基板に変形が生じると、圧電素板が搭載される圧電振動子の容器も変形するために、圧電振動子の内部に搭載された前述の圧電素板の開放端が圧電振動子の内壁、特に圧電素板の下方の基板や、圧電素板の上方に搭載される蓋の内面に接触してしまうおそれがあるといった問題があった。
【０００７】
また、前述のように圧電振動子の外形が３．２ｍｍ×２．５ｍｍ×１．０ｍｍと図８にあるように小型化し、それにつれてその内容積が小さくなり圧電振動子の容器、及び蓋も当然小型化し、その取り扱いが困難となり、その結果、圧電振動子の製作コストが高くなるといった問題があった。
【０００８】
本発明は以上のような技術的背景のもとでなされたものであり、従がってその目的は、従来の片持ちの圧電振動子に代わる構造をもった小型の圧電振動子の構造を提供することである。
【課題を解決するための手段】
【０００９】
上記の目的を達成するために、本発明は圧電素板の両主面に電極を形成して成る圧電振動子を、凹状の開口部を有する容器内に載置し、蓋によって気密封止する圧電振動子において、該圧電振動子の該電極の両端が先の凹状の開口部を有する容器の縁部に架かり、蓋を載置されて封止材により気密封止されることを特徴とする。
【００１０】
また、圧電素板の両主面にそれぞれ形成された電極が、先の凹状の開口部を有する容器の縁部でリードパターンに接続され、このリードパターンが容器外面の端子部まで延びていることを特徴とする。
【００１１】
また、凹状の開口部を有する容器の縁部に架かり、蓋を載置されて封止材により気密封止される圧電振動子の形状が短冊形、正方形、円形、または楕円形であることを特徴とする。
【発明の効果】
【００１２】
本発明の圧電振動子の構造によれば、小型の圧電振動子を歩留まり良く製造することが出来る。
【００１３】
また、本発明の圧電振動子の構造によれば、片持ちの振動子の開放端の容器の内壁への接触のおそれを無くし、圧電振動子の信頼性を高めることが出来る。
【００１４】
また、本発明の圧電振動子の構造によれば圧電振動子の構造を従来に比べて簡単にすることが出来るので、その製造コストを著しく低減することが出来る。
【発明を実施するための最良の形態】
【００１５】
以下に図面を参照しながら本発明の実施の一形態について説明する。
なお、各図においての同一の符号は同じ対象を示すものとする。
【実施例１】
【００１６】
図１は本発明の圧電振動子４を、内部に載置される圧電素板１の長手方向側面からみた概略の模式図である。本図の点線の円内は片方の圧電素板１端の周囲部分の拡大図である。本図１に示すように本発明の圧電振動子４の構造は、圧電振動子４の電極３の両端７が凹状の開口部を有する容器５の対向する縁部８に架かり、蓋６を載置されて封止材９により気密封止されるものである。圧電振動子４が凹状の開口部を有する容器５の対向する縁部８に架かるように載置され、圧電振動子４の圧電素板１端で圧電振動子の電極３が電極パッド１３を介して、容器５の内部から容器外面の端子部１１に繋がるリードパターン１０とつながる部分を拡大した図は、図１の点線の丸内に示されている。
【００１７】
本発明の圧電振動子４は、圧電振動子４の主面２上の電極３の両端７が凹状の開口部を有する容器５の対向する縁部８に架かる構造となっている。圧電振動子４を機密封止する縁部８のシール面は、開口したかたちでシール面が連続して繋がっているため、圧電振動子４の電極と先のシール面が電気的に短絡しないように封止材９を使用し、この封止材９には真空中で融解し封止材の内部の小さな気泡を完全に脱泡した真空脱泡ガラスを使用する。したがって、本発明の圧電振動子４を気密封止するには熱融着炉を使用するのが好ましい。
【００１８】
図２は本発明の圧電振動子４の蓋を外して、上方からみた概略の上面模式図である。凹状の開口部を有する容器５の縁部８の上面には封止材９が塗布されており、圧電振動子４の両端部が対向する縁部８に架かるように載置される。従って、従来の片持ち指示の圧電振動子４に比べ、圧電振動子４の圧電素板１の取り付けが簡単になり、また圧電素板１の支持部に使用する構成部品を減らすことが出来るために、小型の圧電振動子４を歩留まり良く製造することが出来、また片持ちの圧電振動子４の開放端の容器の内壁への接触のおそれを無くして圧電振動子４の信頼性を著しく高めることが出来る。
【００１９】
図３は本発明の圧電振動子４を斜め上方からみた概略の斜視図である。る。本発明において蓋６は凹状の開口部を有する容器５と同じような、厚みを持った形状でも構わない。
【実施例２】
【００２０】
図４は本発明の、円形の圧電振動子４を搭載した場合を示す、蓋６を外して上方からみた概略の上面模式図である。本発明の圧電振動子４の構造を用いることにより、圧電素板の外形が短冊形の圧電振動子４に限らず、正方形、楕円形、または円形の形状の圧電振動子４も気密封止して使用することが出来る。
【実施例３】
【００２１】
図５は本発明の圧電振動子を、内部に載置される圧電素板の長手方向側面からみた別の実施例の概略の模式図である。本実施例では、容器の縁部に架かる圧電振動子の電極の両端が縁部長より容器の外側に出ており、縁部より出ている圧電振動子の電極部分の表面にはメッキ層が形成され、蓋を載置されて封止材により気密封止されている。また本図にはリードパターン１０、容器外面の端子部１１と電極パッド１３が図示されているが、これらを用いずに縁部から外側に出た圧電振動子の電極の両端と外部の回路と、半田などの導電材を介して直接つなげても構わない。なお、図には示していないが容器の縁部に架かる圧電振動子の電極の両端が縁部長より外側に出ずに、メッキ層が表面に形成された圧電素板の側面が縁部の外側の外周部まである場合も、本発明の技術的範囲に含まれることは言うまでも無い。
【００２２】
図６は一般的な片持ちの短冊形の圧電振動子４を上方からみた概略の上面模式図である。本図には示されていないが裏面の電極と、本図の電極３とを分離して図６に示されるように、圧電振動子４を片持ち支持するのが一般的である。
【００２３】
図７は従来の一般的な片持ちの圧電振動子４を、内部の圧電素板１の長手方向側面からみた概略の模式図である。従来の小型の片持ち支持の圧電振動子４では、圧電振動子４を搭載する基板に変形が生じると、圧電素板１が搭載される圧電振動子４の容器５も変形するために、圧電振動子４の内部に搭載された前述の圧電素板１の開放端が圧電振動子４の内壁、特に圧電素板１の下方の基板や、圧電素板１の上方に搭載される蓋６の内面に接触してしまうおそれがあった。
【００２４】
図８は従来の一般的な片持ちの圧電振動子４を、斜め上方からみた概略の斜視図である。本図に示されるように蓋６が凹状の開口部を有する容器５上に載置され気密封止される。
【図面の簡単な説明】
【００２５】
【図１】本発明の圧電振動子を、内部に載置される圧電素板の長手方向側面からみた概略の模式図である。本図の点線の円内は片方の圧電素板端の周囲部分の拡大図である。
【図２】本発明の圧電振動子の蓋を外して、上方からみた概略の上面模式図である。
【図３】本発明の圧電振動子を斜め上方からみた概略の斜視図である。本図に示されるように蓋が容器上に載置され気密封止される。
【図４】本発明の、円形の圧電振動子を搭載した場合を示す、蓋を外し上方からみた概略の上面模式図である。
【図５】本発明の圧電振動子を、内部に載置される圧電素板の長手方向側面からみた別の実施例の概略の模式図である。本実施例では、容器の縁部に架かる圧電振動子の電極の両端が縁部長より外側に出ており、縁部より出ている圧電振動子の電極部分の表面にはメッキ層が形成され、蓋を載置されて封止材により気密封止されている。
【図６】一般的な片持ちの短冊形の圧電振動子を上方からみた概略の上面模式図である。
【図７】従来の一般的な片持ちの圧電振動子を、内部の圧電素板の長手方向側面からみた概略の模式図である。
【図８】従来の一般的な片持ちの圧電振動子を、斜め上方からみた概略の斜視図である。本図に示されるように蓋が容器上に載置され気密封止される。
【符号の説明】
【００２６】
１  圧電素板
２  主面
３  電極
４  圧電振動子
５  凹状の開口部を有する容器
６  蓋
７  電極の両端
８  縁部
９  封止材
１０  リードパターン
１１  容器外面の端子部
１２  円形の圧電素板
１３  電極パッド
１４  メッキ層
【図１】
2005159894.tif 000003
【図２】
2005159894.tif 000004
【図３】
2005159894.tif 000005
【図４】
2005159894.tif 000006
【図５】
2005159894.tif 000007
【図６】
2005159894.tif 000008
【図７】
2005159894.tif 000009
【図８】
2005159894.tif 000010